(57)【要約】【課題】  小型化、薄型化を妨げることなく、収縮状態においても良好に集音して通話することを可能とする。【解決手段】  少なくとも受話器１４を有する第１の筐体１２と、少なくとも送話器１８を有する第２の筐体１３とを相対的にスライド可能とする。第２の筐体１３の送話器１８を回動可能に支持し、送話器１８の集音部１８ａの向きを変位可能とする。第１の筐体１２と第２の筐体１３とが重なって収縮した収縮状態において通話可能とする。第１の筐体１２と第２の筐体１３との相対位置の変化にしたがって送話器１８の集音部１８ａの向きを使用者の口元に向くように変位させる。【選択図】      図１
2005136598.tif 000002
【特許請求の範囲】
【請求項１】
少なくとも受話器を有する第１の筐体と、少なくとも送話器とを有する第２の筐体とを備え、前記第１および第２の筐体が相対的に移動可能な携帯電話機であって、
前記第１及び第２の筐体の相対位置を検出する検出手段と、該検出手段の検出結果に基づいて前記送話器の向きを前記第２の筐体に対して変更する変更手段とを有することを特徴とする携帯電話機。
【請求項２】
前記変更手段は、前記第１の筐体と第２の筐体との相対位置の変化にしたがって前記送話器の集音部の向きを漸次変更することを特徴とする請求項１に記載の携帯電話機。
【請求項３】
前記第１の筐体と前記第２の筐体とが重なって収縮した状態において通話可能とされ、該状態では、前記送話器の集音部の向きが前記受話器から離れる方向へ向けられることを特徴とする請求項１または２に記載の携帯電話機。
【請求項４】
前記変更手段により変更される前記送話器の集音部の向きは、前記第２の筐体の主面と前記送話器の集音部とのなす角度θが０≦θ≦９０°の範囲に設定されていることを特徴とする請求項１から３のいずれか１項に記載の携帯電話機。
【請求項５】
少なくとも受話器を有する第１の筐体と、少なくとも送話器とを有する第２の筐体とを備え、前記第１および第２の筐体が相対的に移動可能な携帯電話機であって、
前記送話器には、該送話器の指向性を制限する集音孔が設けられ、
前記第１及び第２の筐体の相対位置を検出する検出手段と、
該検出手段の検出結果に基づいて前記集音孔位置を変更する変更手段を設けたことを特徴とする携帯電話機。
【請求項６】
前記送話器は、無指向にて周囲の音を集音する無指向性マイクからなることを特徴とする請求項５に記載の携帯電話機。
【請求項７】
前記第１の筐体と前記第２の筐体とが重なって収縮した状態において通話可能とされ、該状態時では、前記集音孔の位置が前記受話器から離れる方向へ向けられることを特徴とする請求項５または６に記載の携帯電話機。
【請求項８】
前記変更手段により変更される前記送話器の集音孔の向きは、前記第２の筐体の主面と前記送話器の集音孔とのなす角度θが０≦θ≦９０°の範囲に設定されていることを特徴とする請求項５ないし７のいずれか１項に記載の携帯電話機。
【発明の詳細な説明】
【技術分野】
【０００１】
本発明は携帯電話機に関するもので、特に２つの筐体を有する携帯電話機に関するものである。
【背景技術】
【０００２】
最近の携帯電話機は  折り畳みタイプに代表されるように２つの筐体で構成されるものが主流になっている。一方では  携帯電話機の機能も飛躍的に向上し、単なる携帯型電話からＰＤＡ（Personal Digital Assistants）的な使い方が重要視されているが、折り畳みタイプでは折り畳んだときに表示用のＬＣＤ（Liquid Crystal Display）が内側に向いてしまい使えないといった問題が出てきている。
【０００３】
このようにライフスタイルの変化により携帯電話機も折り畳みタイプから、収縮時にも表示用のＬＣＤが表面に出ているような構造に変わりつつあり、収縮時は主に閲覧を重視して使用し、伸長時はキー操作や文字入力等を重視して使用するという市場要求が強くなっている。
【０００４】
その中で最近注目されているスライド式携帯電話機おいては、第１、第２の筐体間に湾曲形状のスライド面を形成し、このスライド面に沿って第２の筐体を摺動させたり、また、伸長時に第１（第２）筐体に対し、第２（第１）筐体が起き上がる構造をとることで、第１の筐体の有する受話器と第２の筐体の有する送話器が、通話に好適な送受話間の距離と角度を得る構成となっていた。
また、スライド式携帯電話機としては、以下の先行技術文献があった。
【特許文献１】特開２００２−３６８８６０号公報
【発明の開示】
【発明が解決しようとする課題】
【０００５】
しかしながら、上記の従来技術では、筐体を伸長した状態で通話する際には問題ないが、筐体を収縮した状態で通話する際に、口元と送話器の距離が遠い上に送話器が筐体の主面に対して正面を向いて配置されていることから、集音し難いという欠点があった。
また、湾曲形状の筐体を有するスライド式携帯電話機は、内装する各種電子部品のレイアウトに制限があったり、湾曲に沿って実装することが困難であったりと、ユーザの要求する薄型化に関しては実現が難しくなるといった問題があった。
しかも、伸長時に筐体が起き上がるスライド式携帯電話機は、構造的に複雑であり、部品点数が増加する上、小型化が困難で耐久性が劣るという問題があった。
【０００６】
この発明は、上記事情に鑑みてなされたもので、小型化、薄型化を妨げることなく、収縮状態においても良好に集音して通話することが可能な携帯電話機を提供することを目的としている。
【課題を解決するための手段】
【０００７】
上記目的を達成するために、本発明は、少なくとも受話器を有する第１の筐体と、少なくとも送話器とを有する第２の筐体とを備え、前記第１および第２の筐体が相対的に移動可能な携帯電話機であって、前記第１及び第２の筐体の相対位置を検出する検出手段と、該検出手段の検出結果に基づいて前記送話器の向きを前記第２の筐体対して変更する変更手段とを有することを特徴とする。
この発明によれば、相対的に移動する第１、第２の筐体が収縮状態もしくは伸長状態にあっても、送話器の集音部を使用者の口元に向けて配置するように集音部の向きを変位させることにより、音声がクリアで安心して通話することができる。
また、湾曲形状の筐体を有するスライド機構や筐体が起き上がるような複雑な構造を有することなく通話に好適な送受話間の距離と角度を得ることができ、小型薄型化も容易であり、耐久性も良好であり、デザインの自由度を向上させることも可能となる。
【０００８】
また、本発明は、前記第１の筐体と前記第２の筐体とが重なって収縮した収縮状態において通話可能とされ、第１の筐体と第２の筐体との相対位置の変化にしたがって前記送話器の集音部の向きが次第に変位することを特徴としている。
この発明によれば、あらゆるスライド長の状態でも使用者の口元に対して送話器を好適な角度となり良好な通話が実現できる。
【０００９】
また、本発明は、前記第１の筐体と前記第２の筐体とが重なって収縮した状態において通話可能とされ、該状態では、前記送話器の集音部の向きが前記受話器から離れる方向へ向けられることを特徴としている。
この発明によれば、収縮状態時にて送話器の集音部の向きが、使用者の口元の方向である受話器から離れる方向へ向けられるので、収縮状態時における使用の際にも良好な通話が実現できる。
【００１０】
また、本発明は、前記変更手段により変更される前記送話器の集音部の向きは、前記第２の筐体の主面と前記送話器の集音部とのなす角度θが０≦θ≦９０°の範囲に設定されていることを特徴とする。
この発明によれば、送話器の集音部の向きが、第２の筐体の主面に対する角度θが０≦θ≦９０°となる範囲で変位して、第１、第２の筐体の相対位置に応じて良好な通話が実現できる。
【００１１】
また、本発明は、少なくとも受話器を有する第１の筐体と、少なくとも送話器とを有する第２の筐体とを備え、前記第１および第２の筐体が相対的に移動可能な携帯電話機であって、前記送話器には、該送話器の指向性を制限する集音孔が設けられ、前記第１及び第２の筐体の相対位置を検出する検出手段と、該検出手段の検出結果に基づいて前記集音孔位置を変更する変更手段を設けたことを特徴とする。
この発明によれば、相対的に移動する第１、第２の筐体が収縮状態もしくは伸長状態にあっても、遮音板の集音孔を使用者の口元に向けて配置するように遮音板を変位させることにより、音声がクリアで安心して通話することができる。
【００１２】
また、湾曲形状の筐体を有するスライド機構や筐体が起き上がるような複雑な構造を有することなく通話に好適な送受話間の距離と角度を得ることができ、小型薄型化も容易であり、耐久性も良好であり、デザインの自由度を向上させることも可能となる。
【００１３】
また、本発明は、前記送話器が、無指向にて周囲の音を集音する無指向器マイクからなることを特徴としている。
この発明によれば、遮音板が回動して集音孔の向きが変位することにより、無指向性のマイクからなる集音器へ使用者の音声を確実に導いて集音させることができる。
【００１４】
さらに、本発明は、前記第１の筐体と前記第２の筐体とが重なって収縮した状態において通話可能とされ、該状態では前記集音孔の位置が前記受話器から離れる方向へ向けられることを特徴としている。
この発明によれば、収縮状態時にて遮音板の集音孔の向きが、使用者の口元の方向である受話器から離れる方向へ向けられるので、収縮状態時における使用の際にも良好な通話が実現できる。
【００１５】
また、本発明は、前記変更手段により変更される前記送話器の集音孔の向きは、前記第２の筐体の主面と前記送話器の集音孔とのなす角度θが０≦θ≦９０°の範囲に設定されていることを特徴とする。
この発明によれば、遮音板の集音孔の向きが、第２の筐体の主面に対する角度θが０≦θ≦９０°となる範囲で変位して、第１、第２の筐体の相対位置に応じて良好な通話が実現できる。
【発明の効果】
【００１６】
以上、説明したように、本発明の携帯電話機によれば、相対的に移動する第１、第２の筐体が収縮状態もしくは伸長状態にあっても、送話器の集音部を使用者の口元に向けて配置するように集音部の向きを変位させることにより、音声がクリアで安心して通話することができる。
【発明を実施するための最良の形態】
【００１７】
以下、本発明の実施形態に係る携帯電話機について図面を参照して説明する。
なお、各実施形態において、同一構造部分には、同一符号を付して説明を省略する。
【００１８】
図１は、第１実施形態に係る携帯電話機を示す正面図及び側面図であり、（ａ）は収縮状態、（ｂ）は伸長状態における図である。
図に示すように、この携帯電話機１１は、第１の筐体１２及び第２の筐体１３を有している。これら第１の筐体１２及び第２の筐体１３は、相対的に互いにスライドされて収縮させた収縮状態（図１（ａ）の状態）及び伸長させた伸長状態（図１（ｂ）の状態）の二つの形態となる。
第１の筐体１２には、受話器１４、表示部１５、サブキー操作部１６といった主要部品が配置されている。
もう一方の第２の筐体１３には、キー操作部１７、送話器１８といった主要部品が配置されている。
キー操作部１７は、各種操作指示を行うためのものである。このキー操作部１７には、少なくとも電話番号や文章入力に必要なテンキー、着信ボタン、ファンクションキーである機能選択キーなどの各種ボタン及び操作キーが設けられている。
【００１９】
サブキー操作部１６は、主に収縮状態で必要とされる各種操作キーが配置されている。例えば、収縮状態でも電話の着信を受けたい場合は、着信ボタンを配置又は必要に応じてユーザ側でキーの機能を割り付けることも出来る。
表示部１５は、液晶画面（ＬＣＤ：Liquid Crystal Display）からなり、電話番号の表示やメニュー画面などの表示を行う。
この表示部１５は、第１の筐体１２及び第２の筐体１３が互いにスライドすることにより形状が変わることから考えると、収縮状態では手書き入力することを前提にＰＤＡ（Personal Digital Assistants）的な使い方が重視され、伸長状態では通常の携帯電話的な使い方が実用的である。
【００２０】
図２は、携帯電話機の機能を説明するブロック図である。
図に示すように、この携帯電話機１１は、ＣＰＵ２１を有し、このＣＰＵ２１には、操作部２２、入力部２３、ＲＯＭ２４、ＲＡＭ２５及び通信部２６が接続されている。そして、ＣＰＵ２１によって、これら操作部２２、入力部２３、ＲＯＭ２４、ＲＡＭ２５及び通信部２６による携帯通信処理が行われる。
【００２１】
次に、上記携帯電話機１１に設けられた送話器１８について説明する。
図３は、送話器の構造を説明する分解斜視図であり、（ａ）は収縮状態、（ｂ）は伸長状態における図である。
この送話器１８は、回転軸３１に固定されて回転可能に支持されている。この回転軸３１は、フランジ部３２を有しており、このフランジ部３２には、回転軸３１を一方向へ付勢して回転させるバネ３３が連結されている。
【００２２】
第２の筐体１３には、第１、第２の筐体１２、１３の相対位置の変動にともなって移動する押しピン３４が配設されている。
そして、第１の筐体１２及び第２の筐体１３が収縮した収縮状態となるとき、押しピン３４は、フランジ部３２を押圧し、これにより、送話器１８は、バネ３３の付勢力に抗して回転され、送話器１８の集音部１８ａの向きと第２の筐体１３の主面１３ａとの角度θが、所定の角度である約３０°傾いた状態となる。
【００２３】
また、第１の筐体１２及び第２の筐体１３が伸長した伸長状態となるとき、押しピン３４は、フランジ部３２から離間し、これにより、送話器１８は、バネ３３の付勢力によって一方向へ回動し、押しピン３４による回転が戻される。また、このとき、フランジ部３２は、第２の筐体１３内のストッパー部３５に当接することで回転が規制される。これにより、送話器１８の集音部１８ａの向きと第２の筐体１３の主面１３ａとの角度θは、所定の角度である約９０°の位置となる。
【００２４】
このように、上記実施形態に係る携帯電話機によれば、相対的に移動する第１の筐体１２及び第２の筐体１３が収縮状態もしくは伸長状態にあっても、送話器１８の集音部１８ａを使用者の口元に向けて配置するように集音部１８ａの向きを変位させることにより、音声がクリアで安心して通話することができる。
また、湾曲形状の筐体を有するスライド機構や筐体が起き上がるような複雑な構造を有することなく通話に好適な送受話間の距離と角度を得ることができ、小型薄型化も容易であり、耐久性も良好であり、デザインの自由度を向上させることも可能となる。
【００２５】
なお、送話器１８の具体的な回転角度に関しては、携帯電話機１１の外形サイズ等から想定されるものであり、実用的な回転角度θは第２の筐体１３の主面１３ａに対し０≦θ≦９０°の範囲で有効である。
一例としては、送話器１８の回転軸３１の中心から１０ｍｍの位置でフランジ部３２と押ピン３４とが当接するようにし、約１０ｍｍのスライドストロークで送話器１８が６０°の回転を得るものとする。
すなわち、前述したように、完全伸長状態で第２の筐体１３の主面１３ａから９０°の角度に配置されている送話器１８が、完全収縮状態になる約１０ｍｍ手前のスライド位置から送話器１８が回転を始め、完全収縮状態で第２の筐体１３の主面１３ａから３０°の角度に配置されるものとする。
【００２６】
図４は、第２実施形態に係る携帯電話機を示す正面図及び側面図であり、（ａ）は収縮状態、（ｂ）は伸長状態における図である。
図に示すように、この携帯電話機１１Ａも、第１の筐体１２及び第２の筐体１３を有し、これら第１の筐体１２及び第２の筐体１３は、相対的に互いにスライドされて収縮させた収縮状態（図４（ａ）の状態）及び伸長させた伸長状態（図４（ｂ）の状態）の二つの形態となる。
【００２７】
この携帯電話機１１Ａでは、第２の筐体１３に、送話孔４１が形成されている。そして、この第２の筐体１３には、その内部に、送話孔４１を通して音を集音する無指向性マイクからなる送話器４２が設けられている。
また、第２の筐体１３の送話孔４１と送話器４２との間には、遮音板４３が設けられており、この遮音板４３は、第１、第２の筐体１２、１３の相対位置の変動にともなって送話器４２の周囲にて回動するようになっている。
遮音板４３には、集音孔４４が形成され、この集音孔４４が送話孔４１に重なって連通する部分の位置により、無指向性の送話器４２に指向性を持たせている。
【００２８】
図５は、遮音板４３の構造を説明する分解斜視図であり、（ａ）は収縮状態、（ｂ）は伸長状態における図である。
遮音板４３は、回転軸５１に固定され、この回転軸５１によって回転可能に支持されている。この回転軸５１は、フランジ部５２を有しており、このフランジ部５２には、回転軸５１を一方向へ付勢して回転させるバネ５３が連結されている。
【００２９】
第２の筐体１３には、第１、第２の筐体１２、１３の相対位置の変動にともなって移動する押しピン５４が配設されている。
そして、第１の筐体１２及び第２の筐体１３が収縮した収縮状態となるとき、押しピン５４は、フランジ部５２を押圧し、これにより、遮音板４３は、バネ５３の付勢力に抗して回転され、遮音板４３の集音孔４４の向きと第２の筐体１３の主面１３ａとの角度θが、所定の角度である約３０°傾いた状態となる。
また、第１の筐体１２及び第２の筐体１３が伸長した伸長状態となるとき、押しピン５４は、フランジ部５２から離間し、これにより、遮音板４３は、バネ５３の付勢力によって一方向へ回動し、押しピン５４による回転が戻される。また、このとき、フランジ部５２は、第２の筐体１３内のストッパー部５５に当接することで回転が規制される。これにより、遮音板４３の集音孔４４の向きと第２の筐体１３の主面１３ａとの角度θは、所定の角度である約９０°の位置となる。
【００３０】
なお、遮音板４３の具体的な回転角度に関しては、第１実施形態の場合と同様に、携帯電話機１１Ａの外形サイズ等から想定されるものであり、実用的な回転角度θは第２の筐体１３の主面１３ａに対し０≦θ≦９０°の範囲で有効である。
一例としては、遮音板４３の回転軸５１の中心から１０ｍｍの位置でフランジ部５２と押ピン５４とが当接するようにし、約１０ｍｍのスライドストロークで遮音板４３が６０°の回転を得るものとする。
すなわち、前述したように、完全伸長状態で第２の筐体１３の主面１３ａから９０°の角度に配置されている遮音板４３が、完全収縮状態になる約１０ｍｍ手前のスライド位置から遮音板４３が回転を始め、完全収縮状態で第２の筐体１３の主面１３ａから３０°の角度に配置されるものとする。
【００３１】
そして、この第２実施形態の場合も、相対的に移動する第１の筐体１２及び第２の筐体１３が収縮状態もしくは伸長状態にあっても、遮音板４３の集音孔４４を使用者の口元に向けて配置するように遮音板４３を変位させることにより、音声がクリアで安心して通話することができる。
また、湾曲形状の筐体を有するスライド機構や筐体が起き上がるような複雑な構造を有することなく通話に好適な送受話間の距離と角度を得ることができ、小型薄型化も容易であり、耐久性も良好であり、デザインの自由度を向上させることも可能となる。
【００３２】
なお、上記の例では、送話孔４１を第２の筐体１３に形成し、集音孔４４を遮音板４３に形成したが、遮音板４３自体を第２の筐体１３の一部として表面に露出させ、送話孔４１と集音孔４４とを共通にすることも可能である。
【００３３】
また、上記第１、第２実施形態は、湾曲形状筐体を有するスライド機構や筐体が起き上がるようなスライド機構においても、送話器１８、遮音板４３の回転機構は通話状態の向上においても非常に有効であることは言うまでもない。
また、上記第１、第２実施形態では、第１の筐体１２及び第２の筐体１３が直線方向に相対的にスライドする構造について説明したが、第１の筐体１２と第２の筐体１３とが互いに相対的に面方向に回動する構造であっても良く、また、第１の筐体１２及び第２の筐体１３の一端側を連結して開閉する折り畳みタイプであっても良い。
【図面の簡単な説明】
【００３４】
【図１】本発明の第１実施形態に係る携帯電話機を示す正面図及び側面図であり、（ａ）は収縮状態、（ｂ）は伸長状態における図である。
【図２】携帯電話機の機能を説明するブロック図である。
【図３】送話器の構造を説明する分解斜視図であり、（ａ）は収縮状態、（ｂ）は伸長状態における図である。
【図４】本発明の第２実施形態に係る携帯電話機を示す正面図及び側面図であり、（ａ）は収縮状態、（ｂ）は伸長状態における図である。
【図５】遮音板４３の構造を説明する分解斜視図であり、（ａ）は収縮状態、（ｂ）は伸長状態における図である。
【符号の説明】
【００３５】
１１、１１Ａ  携帯電話機      １２  第１の筐体        １３  第２の筐体          １４  受話器                 １８  送話器            １８ａ  集音部
４３  遮音板                  ４４  集音孔
【図１】
2005136598.tif 000003
【図２】
2005136598.tif 000004
【図３】
2005136598.tif 000005
【図４】
2005136598.tif 000006
【図５】
2005136598.tif 000007